(57)【特許請求の範囲】
【請求項１】
ディジタルテレビジョン放送の圧縮された動画データに文字情報が多重化された混合信号を受信する受信部と、
上記受信部により受信された混合信号よりディジタルテレビジョン放送から上記圧縮された動画データと文字情報とを分離するデマルチプレクス部と、
上記デマルチプレクス部で分離された文字情報をデコードする文字情報用デコーダと、
上記文字情報デコーダでデコードされた文字情報を保持するブラウザ画面メモリと、
上記デマルチプレクス部で分離された上記圧縮された動画データをデコードする動画データ用デコーダと、
上記動画データ用デコーダでデコードされた動画データを、画像表示装置に表示される動画像のフレーム毎に、一時的に保持するフレームメモリと、
上記フレームメモリから供給された動画データと上記ブラウザ画面メモリから供給された文字情報とを合成して表示データを生成する第１のマルチプレクス部と、
上記第１のマルチプレクス部で生成された表示データを上記画像表示装置に出力する表示データ出力部と、
上記画像表示装置に表示されている画面を印刷する旨の指示が入力される印刷指示入力部と、
上記フレームメモリから供給された動画データと上記ブラウザ画面メモリから供給された文字情報とを合成して印刷データを生成する第２のマルチプレクス部と、
上記画像表示装置に表示されている画面を印刷する旨の指示が上記印刷指示入力部に入力されたときに、上記第２のマルチプレクス部で生成された印刷データを印刷装置に出力する印刷データ出力部とを備え、
上記画像表示装置に表示されている画面を印刷する旨の指示が上記印刷指示入力部に入力されると、上記第１のマルチプレクス部は、上記フレームメモリから供給された動画データと上記ブラウザ画面メモリから供給された文字情報とを合成した表示データに、更に、上記フレームメモリから読み出された動画データを合成し、上記表示データ出力部より上記画像表示装置に出力し、上記画像表示装置の画面の一部に印刷イメージを表示させる受信装置。
【請求項２】
上記画像表示装置が内部バスにより上記表示データ出力部に接続されている
請求項１記載の受信装置。
【請求項３】
上記印刷装置が内部バスにより上記印刷データ出力部に接続されている
請求項１記載の受信装置。
【請求項４】
ディジタルテレビジョン放送の圧縮された動画データに文字情報が多重化された混合信号を受信部で受信するステップと、
上記受信部により受信された混合信号よりディジタルテレビジョン放送から上記圧縮された動画データと文字情報とをデマルチプレクス部で分離するステップと、
上記デマルチプレクス部で分離された文字情報を文字情報用デコーダでデコードするステップと、
上記文字情報デコーダでデコードされた文字情報をブラウザ画面メモリに保持するステップと、
上記デマルチプレクス部で分離された上記圧縮された動画データを動画データ用デコーダでデコードするステップと、
上記動画データ用デコーダでデコードされた動画データを、画像表示装置に表示される動画像のフレーム毎に、フレームメモリに一時的に保持するステップと、
上記フレームメモリから供給された動画データと上記ブラウザ画面メモリから供給された文字情報とを合成して表示データを第１のマルチプレクス部で生成するステップと、
上記第１のマルチプレクス部で生成された表示データを表示データ出力部から上記画像表示装置に出力するステップと、
上記画像表示装置に表示されている画面を印刷する旨の指示を印刷指示入力部で入力するステップと、
上記フレームメモリから供給された動画データと上記ブラウザ画面メモリから供給された文字情報とを合成して印刷データを第２のマルチプレクス部で生成するステップと、
上記画像表示装置に表示されている画面を印刷する旨の指示が上記印刷指示入力部に入力されたときに、上記第２のマルチプレクス部で生成された印刷データを印刷データ出力部から印刷装置に出力するステップと、
上記画像表示装置に表示されている画面を印刷する旨の指示が上記印刷指示入力部に入力されると、上記第１のマルチプレクス部が、上記フレームメモリから供給された動画データと上記ブラウザ画面メモリから供給された文字情報とを合成した表示データに、更に、上記フレームメモリから読み出された動画データを合成し、上記表示データ出力部より上記画像表示装置に出力し、上記画像表示装置の画面の一部に印刷イメージを表示させるステップと
を有する画像データ処理方法。
【請求項５】
上記印刷装置による印刷処理が終了したときに上記印刷イメージの表示を終了する
請求項４記載の画像データ処理方法。
【請求項６】
上記印刷イメージの表示を終了する旨の指示が入力されたときに上記印刷イメージの表示を終了する
請求項４記載の画像データ処理方法。
【請求項７】
予め設定された時間が経過したときに上記印刷イメージの表示を終了する
請求項４記載の画像データ処理方法。
【発明の詳細な説明】
【０００１】
【発明の属する技術分野】
本発明は、テレビジョン放送を受信する受信装置及びテレビジョン放送の画像データを処理する画像データ処理方法に関する。
【０００２】
【従来の技術】
従来、テレビジョン受像機のディスプレイモニタに表示されている画像を印刷する方法として、アナログビデオプリンタを用いる方法がある。
【０００３】
この場合、アナログビデオプリンタには、テレビジョン受像機のディスプレイモニタに表示されている画像と同じアナログ映像信号が、テレビジョン受像機から供給される。そして、アナログビデオプリンタに供給されたアナログ映像信号は、ディジタル化されて、アナログビデオプリンタ内のフレームメモリに、ディスプレイモニタに表示されている画像のフレームを単位として順次書き込まれる。
【０００４】
ここで、ユーザからディスプレイモニタに表示されている画像を印刷する旨の指示がなされると、アナログビデオプリンタのフレームメモリの更新が停止され、印刷する画像が確定される。そして、印刷する画像のデータがフレームメモリから読み出され、印刷用のデータに変換される。アナログビデオプリンタは、この印刷用のデータに基づいて印刷処理を実行する。これにより、テレビジョン受像機のディスプレイモニタに表示されている画像が印刷されることになる。
【０００５】
【発明が解決しようとする課題】
ところで、プリンタを用いて画像や文字を印刷する場合、プリンタが印刷処理を開始してからそれを終了するまでには、通常、何十秒かの時間がかかってしまう。これに対して、テレビジョン受像機のディスプレイモニタには、テレビジョン放送の画像が次々に表示されていくことになる。
【０００６】
このため、テレビジョン受像機のディスプレイモニタに表示されている画像を印刷する場合、プリンタによる印刷処理の進行中に、テレビジョン受像機のディスプレイモニタに表示されている画像の内容が変わってしまい、プリンタによる印刷処理が終了する頃には、印刷している画像とテレビジョン受像機のディスプレイモニタに表示されている画像とが全く異なるといったことが起こり得る。
【０００７】
このような場合、刻々と変化する画像の一瞬のタイミングを捉えて印刷する画像を選択したユーザにとっては、自分が選択した画像が適切であったか、操作タイミングにミスがなかったか等の心理的不安が残るものだが、プリンタによる印刷処理が完了するまでその確認ができないのが現状である。
【０００８】
印刷する画像の確認をユーザに行わせる方法としては、例えば、ユーザが選択した画像をプリンタによる印刷処理が終了するまで、或いは、ユーザがその内容を確認するまで、テレビジョン受像機のディスプレイモニタに、現在放送中のテレビジョン放送の画像を表示せずに、ユーザが選択した画像を表示しておくという方法が考えられる。
【０００９】
しかしながら、印刷処理を行う度に、テレビジョン受像機のディスプレイモニタに表示されるテレビジョン放送の画像が途切れるのも、また、不便である。
【００１０】
そこで、本発明は、ディスプレイモニタ等の画像表示装置に表示されるテレビジョン放送の画像を印刷する場合に、テレビジョン放送の画像を途切れさせることなく、ユーザに選択した画像の確認を行わせることを可能にする受信装置及び画像データ処理方法を提供することを目的とする。
【００１１】
【課題を解決するための手段】
本発明に係る受信装置は、ディジタルテレビジョン放送の圧縮された動画データに文字情報が多重化された混合信号を受信する受信部と、上記受信部により受信された混合信号よりディジタルテレビジョン放送から上記圧縮された動画データと文字情報とを分離するデマルチプレクス部と、上記デマルチプレクス部で分離された文字情報をデコードする文字情報用デコーダと、上記文字情報デコーダでデコードされた文字情報を保持するブラウザ画面メモリと、上記デマルチプレクス部で分離された上記圧縮された動画データをデコードする動画データ用デコーダと、上記動画データ用デコーダでデコードされた動画データを、画像表示装置に表示される動画像のフレーム毎に、一時的に保持するフレームメモリと、上記フレームメモリから供給された動画データと上記ブラウザ画面メモリから供給された文字情報とを合成して表示データを生成する第１のマルチプレクス部と、上記第１のマルチプレクス部で生成された表示データを上記画像表示装置に出力する表示データ出力部と、上記画像表示装置に表示されている画面を印刷する旨の指示が入力される印刷指示入力部と、上記フレームメモリから供給された動画データと上記ブラウザ画面メモリから供給された文字情報とを合成して印刷データを生成する第２のマルチプレクス部と、上記画像表示装置に表示されている画面を印刷する旨の指示が上記印刷指示入力部に入力されたときに、上記第２のマルチプレクス部で生成された印刷データを印刷装置に出力する印刷データ出力部とを備える。
【００１２】
そして、この受信装置は、上記画像表示装置に表示されている画面を印刷する旨の指示が上記印刷指示入力部に入力されると、上記第１のマルチプレクス部は、上記フレームメモリから供給された動画データと上記ブラウザ画面メモリから供給された文字情報とを合成した表示データに、更に、上記フレームメモリから読み出された動画データを合成し、上記表示データ出力部より上記画像表示装置に出力し、上記画像表示装置の画面の一部に印刷イメージを表示させる。
【００１３】
この受信装置によれば、受信部により、ディジタルテレビジョン放送が受信される。この受信部により受信されたディジタルテレビジョン放送のフレームメモリから供給された動画データとブラウザ画面メモリから供給された文字情報とを合成した表示データは、表示データ出力部より、画像表示装置に出力される。また、受信部により受信されたテレビジョン放送の動画データは、フレームメモリにフレーム毎に一時的に保持される。
【００１４】
また、この受信装置において、印刷指示入力部には、画像表示装置に表示されている画像を印刷する旨の指示が入力される。そして、画像表示装置に表示されている画像を印刷する旨の指示が印刷指示入力部に入力されると、印刷データ出力部より、フレームメモリから供給された動画データとブラウザ画面メモリから供給された文字情報とを合成した印刷データが印刷装置に出力される。
【００１５】
また、画像表示装置に表示されている画像を印刷する旨の指示が印刷指示入力部に入力されると、第１のマルチプレクス部は、フレームメモリから供給された動画データとブラウザ画面メモリから供給された文字情報とを合成した表示データに、更に、フレームメモリから読み出された動画データを合成し、表示データ出力部より画像表示装置に出力される。
【００１６】
すなわち、この受信装置においては、画像表示装置に表示されている画像を印刷する旨の指示が印刷指示入力部に入力されないときは、受信部により受信されたディジタルテレビジョン放送の動画データが、そのまま表示データとして画像表示装置に出力される。
【００１７】
一方、画像表示装置に表示されている画像を印刷する旨の指示が印刷指示入力部に入力されたときは、印刷データ出力部により、フレームメモリから供給された動画データとブラウザ画面メモリから供給された文字情報とを合成した印刷データ印刷装置に出力される。これと共に、第１のマルチプレクス部は、フレームメモリから供給された動画データとブラウザ画面メモリから供給された文字情報とを合成した表示データに、更に、フレームメモリから読み出された動画データを合成し、表示データ出力部より画像表示装置に出力される。これにより、画像表示装置の画面の一部に、印刷イメージが表示されることになる。
【００１８】
本発明に係る受信装置は、以上のように、画像表示装置に表示されている画像を印刷する旨の指示が印刷指示入力手段に入力されたときに、第１のマルチプレクス部は、上記フレームメモリから供給された動画データと上記ブラウザ画面メモリから供給された文字情報とを合成した表示データに、更に、フレームメモリから読み出された動画データを合成し、表示データ出力部より画像表示装置に出力し、画像表示装置の画面の一部に印刷イメージを表示させるようにしているので、ディジタルテレビジョン放送の画像データを途切れることなく画像表示装置に表示させると共に、ユーザに、印刷する画像の確認を行わせることができる。
【００１９】
なお、本発明に係る受信装置においては、画像表示装置が内部バスにより表示データ出力部に接続されていることが望ましい。このように、画像表示装置を内部バスにより表示データ出力部に接続することにより、画像表示装置を当該受信装置と一体化させ、表示データ出力部からの表示データを高速で画像表示装置に転送することが可能となる。
【００２０】
また、本発明に係る受信装置においては、印刷装置が内部バスにより印刷データ出力部に接続されていることが望ましい。このように、印刷装置を内部バスにより印刷データ出力部に接続することにより、印刷装置を当該受信装置と一体化させ、印刷データ出力部からの印刷データを高速で印刷装置に転送することが可能となる。
【００２１】
また、本発明に係る画像データ処理方法は、ディジタルテレビジョン放送の圧縮された動画データに文字情報が多重化された混合信号を受信部で受信するステップと、上記受信部により受信された混合信号よりディジタルテレビジョン放送から上記圧縮された動画データと文字情報とをデマルチプレクス部で分離するステップと、上記デマルチプレクス部で分離された文字情報を文字情報用デコーダでデコードするステップと、上記文字情報デコーダでデコードされた文字情報をブラウザ画面メモリに保持するステップと、上記デマルチプレクス部で分離された上記圧縮された動画データを動画データ用デコーダでデコードするステップと、上記動画データ用デコーダでデコードされた動画データを、画像表示装置に表示される動画像のフレーム毎に、フレームメモリに一時的に保持するステップと、上記フレームメモリから供給された動画データと上記ブラウザ画面メモリから供給された文字情報とを合成して表示データを第１のマルチプレクス部で生成するステップと、上記第１のマルチプレクス部で生成された表示データを表示データ出力部から上記画像表示装置に出力するステップと、上記画像表示装置に表示されている画面を印刷する旨の指示を印刷指示入力部で入力するステップと、上記フレームメモリから供給された動画データと上記ブラウザ画面メモリから供給された文字情報とを合成して印刷データを第２のマルチプレクス部で生成するステップと、上記画像表示装置に表示されている画面を印刷する旨の指示が上記印刷指示入力部に入力されたときに、上記第２のマルチプレクス部で生成された印刷データを印刷データ出力部から印刷装置に出力するステップと、上記画像表示装置に表示されている画面を印刷する旨の指示が上記印刷指示入力部に入力されると、上記第１のマルチプレクス部が、上記フレームメモリから供給された動画データと上記ブラウザ画面メモリから供給された文字情報とを合成した表示データに、更に、上記フレームメモリから読み出された動画データを合成し、上記表示データ出力部より上記画像表示装置に出力し、上記画像表示装置の画面の一部に印刷イメージを表示させるステップとを有する。
【００２２】
この画像データ処理方法によれば、画像表示装置に表示されている画面を印刷装置により印刷するときに、ディジタルテレビジョン放送の画像データを途切れることなく画像表示装置に表示させると共に、ユーザに、印刷する画像の確認を行わせることができる。
【００２３】
【発明の実施の形態】
以下、本発明の実施の形態を図面を参照して説明する。
【００２４】
図１に、本発明を適用した受信装置２にディスプレイモニタ３及びプリンタ４を接続した画像プリントシステム１の一例を模式的に示す。
【００２５】
この画像プリントシステム１において、受信装置２とディスプレイモニタ３及び受信装置２とプリンタ４は、それぞれ、ｉＬＩＮＫ等の外部バス５，６により接続されている。
【００２６】
受信装置２は、アナログテレビジョン放送やディジタルテレビジョン放送を受信し、このテレビジョン放送の画像データを、外部バス５を介して、例えばＣＲＴ（Cathode Ray Tube）やＬＣＤ（Liquid Crystal Display）等よりなるディスプレイモニタ３に供給し、この画像データに応じた画像をディスプレイモニタ３に表示させる。また、受信装置２は、内部にフレームメモリを備えており、受信したテレビジョン放送の画像データを、ディスプレイモニタ３に表示する画面毎に一時的に保持することができるようになされている。
【００２７】
また、受信装置２には、現在ディスプレイモニタ３に表示されている画像を印刷する旨のユーザからの指示を受け付ける手段が備えられている。このユーザからの指示を受け付ける手段としては、例えば、リモートコントローラ７からの信号を受信する受信部８，フロントパネルに設けられた「印刷」ボタン９等が挙げられる。
【００２８】
そして、受信装置２は、受信部８がリモートコントローラ７からの信号を受信したとき、或いは、フロントパネルに設けられた「印刷」ボタン９が押されたとき等、現在ディスプレイモニタ３に表示されている画像を印刷する旨のユーザからの指示を受け付けたときは、フレームメモリに保持されている画像データを読み出してこの画像データを印刷データとして、外部バス６を介して、例えばカラーレーザプリンタ等のプリンタ４に供給し、この画像データに応じた画像、すなわち、現在ディスプレイモニタ３に表示されている画像をプリンタ４に印刷させる。
【００２９】
また、受信装置２は、現在ディスプレイモニタ３に表示されている画像を印刷する旨のユーザからの指示を受け付けたときは、受信したテレビジョン放送の画像データと、フレームメモリに一時的に保持されている画像データとを合成してディスプレイモニタ３に供給し、ディスプレイモニタ３の画面１０に、例えば、ピクチャ・イン・ピクチャ形式、或いは、ウインドウ形式の子画面１１を発生させ、この子画面１１内に、プリンタ４により印刷する画像（印刷イメージ）を表示させる。
【００３０】
すなわち、この画像プリントシステム１においては、通常は、受信装置２により受信されたテレビジョン放送の画像データが、そのままディスプレイモニタ３に供給され、ディスプレイモニタ３にテレビジョン放送の画像データに応じた一連の画像が動画として表示されている。そして、ユーザが、現在ディスプレイモニタ３に表示されている画像を印刷する旨の指示を受信装置２に入力したときは、受信装置２により、テレビジョン放送の画像データとフレームメモリに一時的に保持された画像データとが合成され、この合成された画像データが、ディスプレイモニタ３に供給される。これにより、ディスプレイモニタ３の動画を表示している画面１０内に子画面１１が発生し、この子画面１１内に印刷イメージが静止画として表示されるようになされている。
【００３１】
これにより、ユーザは、ディスプレイモニタ３の子画面１１を参照して、印刷しようとしている画像を確認することができる。また、このとき、ディスプレイモニタ３の画面１０の子画面１１以外の部分（親画面）には、テレビジョン放送の画像データに応じた動画が続けて表示されるので、ユーザは、テレビジョン放送の画像データに応じた動画を途切れることなく見ることもできる。
【００３２】
ところで、ディスプレイモニタ３の画面１０内に発生した子画面１１は、親画面に表示される動画を見る妨げになるので、印刷しようとしている画像をユーザが確認したら、この子画面１１の表示を終了することが望ましい。具体的には、この画像プリントシステム１においては、例えば、プリンタ３による印刷処理が終了した時点、或いは、受信装置２に印刷イメージの表示を終了する旨の指示が入力されたとき、或いは、予め設定された所定の時間が経過したときに、子画面１１の表示を終了することが望ましい。
【００３３】
なお、以上は、ディスプレイモニタ３に表示されている画像を印刷する旨の指示がユーザから入力されたときに、ディスプレイモニタ３の画面１０内に子画面１１を発生させてこの子画面１１内に印刷イメージを表示させ、親画面にはテレビジョン放送の画像データに応じた動画を続けて表示させるようにした例について説明したが、これとは逆に、ディスプレイモニタ３の画面１０内に発生した子画面１１内に動画を続けて表示させ、親画面に印刷イメージを表示させるようにしてもよい。
【００３４】
ここで、受信装置２がアナログテレビジョン放送を受信するように構成された例について、更に詳しく説明する。
【００３５】
受信装置２がアナログテレビジョン放送を受信するように構成された画像プリントシステム１の一例のブロック図を図２に示す。
【００３６】
放送局から地上波として送出されるアナログテレビジョン放送は、受信装置２のアンテナ２１により受信され、チューナ部２２に供給される。そして、チューナ部２２において、システム制御部２３の制御のもと、チャンネル選択等の処理が行われ、選択されたチャンネルの画像データが映像・色信号回路部２４に供給される。
【００３７】
映像・色信号回路部２４に供給された画像データは、この映像・色信号回路部２４においてアナログＲＧＢに分離される。そして、アナログＲＧＢに分離された画像データは、表示データ出力部２５に供給されると共に、Ａ／Ｄ変換部２６においてディジタルデータに変換された後、フレームメモリ２７に書き込まれる。
【００３８】
表示データ出力部２５は、システム制御部２３の制御のもと、映像・色信号回路部２４から供給されたアナログＲＧＢを、表示データとして、外部バス５を介してディスプレイモニタ３に供給する。これにより、ディスプレイモニタ３に、アナログテレビジョン放送の画像が表示されることになる。
【００３９】
フレームメモリ２７は、Ａ／Ｄ変換部２６においてディジタルデータに変換された画像データを、ディスプレイモニタ３に表示されるアナログテレビジョン放送の画像のフレーム毎に一時的に保持する。すなわち、このフレームメモリ２７には、現在ディスプレイモニタ３に表示されている１フレーム分のデータが保持されており、ディスプレイモニタ３に表示されている画像のフレームが次のフレームに変わり、フレームメモリ２７に次のフレームのデータが供給されると、フレームメモリ２７が更新され、次のフレームのデータがフレームメモリ２７に保持されることになる。
【００４０】
なお、フレームメモリ２７へのデータの書き込みや読み出しは、システム制御部２３の制御のもと、メモリ制御部２８により行われる。
【００４１】
ここで、ユーザから、現在ディスプレイモニタ３に表示されている画像を印刷する旨の指示が指示入力部２９に入力されると、メモリ制御部２８は、フレームメモリ２７の更新を停止し、フレームメモリ２７に保持されている画像データ、すなわち、現在ディスプレイモニタ３に表示されている画像のデータを読み出す。
【００４２】
フレームメモリ２７から読み出された画像データは、印刷データ出力部３０に供給されると共に、Ｄ／Ａ変換部３１においてアナログ信号に変換された後、画像データ合成部３２に供給される。
【００４３】
印刷データ出力部３０は、フレームメモリ２７から読み出された画像データを、印刷データとして、外部バス６を介してプリンタ４に供給する。そして、プリンタ４が、印刷データ出力部３０から供給された印刷データに基づいて印刷処理を行うことにより、ユーザより指定されたディスプレイモニタ３上の画像が印刷されることになる。
【００４４】
画像データ合成部３２は、フレームメモリ２７から読み出された画像データが供給されると、このフレームメモリ２７から読み出された画像データと、映像・色信号回路部２４からの新たな画像データとを合成し、ディスプレイモニタ３の画面１０内に子画面１１を発生させ、この子画面１１内に印刷イメージを表示させるような画像データを生成して、表示データ出力部２５に供給する。
【００４５】
表示データ出力部２５は、通常は、上述したように、映像・色信号回路部２４から供給されたアナログＲＧＢを、表示データとしてディスプレイモニタ３に供給するが、指示入力部２９にユーザからの印刷指示が入力され、画像データ合成部３２から合成された画像データが供給されたときは、この合成された画像データを、表示データとしてディスプレイモニタ３に供給する。
【００４６】
これにより、ディスプレイモニタ３の画面１０内に、例えばピクチャ・イン・ピクチャ形式の子画面１１が発生し、親画面には通常のアナログテレビジョン放送の画像が表示されると共に、子画面１１内には印刷イメージが表示され、或いは、親画面に印刷イメージが表示され、子画面１１内に通常のアナログテレビジョン放送の画像が表示されることになる。
【００４７】
以上説明したプリントシステム１、すなわち、受信装置２がアナログテレビジョン放送を受信するように構成された画像プリントシステム１は、更に具体的には、例えば、ピクチャ・イン・ピクチャ形式で子画面を発生させる機能を有するアナログテレビジョン受像機に、印刷指示を受け付ける機能と画像データを一時的に保持するフレームメモリとを設け、このアナログテレビジョン受像機にプリンタを接続することにより実現される。
【００４８】
次に、受信装置２がディジタルテレビジョン放送を受信するように構成された本発明の具体例について説明する。
【００４９】
受信装置２がディジタルテレビジョン放送を受信するように構成された画像プリントシステム１の一例のブロック図を図３に示す。この図３に示す画像プリントシステム１において、受信装置２は、ＭＰＥＧ２によって圧縮された動画データに、ＸＭＬデータ等の文字情報等が多重化されてなる混成信号を受信するセットトップボックス（ＳＴＢ）として構成されている。
【００５０】
送信局からディジタル衛星放送やケーブルテレビジョン放送として送信される混成信号は、アンテナやケーブルモデム等を介して、受信装置２のチューナ部４１に受信され、チューナ部４１において、システム制御部４２の制御のもと、チャンネル選択等の処理が行われる。
【００５１】
選択されたチャンネルの混成信号は、フロントエンド部４３によりベースバンド波に分離された後、デマルチプレクス部４４により、ＭＰＥＧ２によって圧縮された動画データとＸＭＬデータとに分離される。
デマルチプレクス部４４により分離されたＸＭＬデータは、ＸＭＬデコーダ４５によってデコードされて、ブラウザ画面メモリ４６に保持される。一方、デマルチプレクス部４４により分離された動画データは、ＭＰＥＧ２デコーダ４７によってデコードされ、マルチプレクス部４８とフレームメモリ４９とに供給される。
【００５２】
マルチプレクス部４８は、システム制御部４２の制御のもと、ＭＰＥＧ２デコーダ４７によってデコードされた動画データと、ブラウザ画面メモリ４６に保持されているＸＭＬデータとを合成して表示データを生成し、表示データ出力部５０に供給する。
【００５３】
表示データ出力部５０は、マルチプレクス部４８より供給される表示データを、外部バス５を介してディスプレイモニタ３に供給する。これにより、ディスプレイモニタ３に、動画像と文字情報等が混在した画面が表示されることになる。
【００５４】
フレームメモリ４９は、ＭＰＥＧ２デコーダ４７によりデコードされた動画データを、ディスプレイモニタ３に表示される動画像のフレーム毎に、一時的に保持する。すなわち、このフレームメモリ４９には、現在ディスプレイモニタ３に表示されている動画像の１フレーム分のデータが保持されており、ディスプレイモニタ３に表示されている動画像のフレームが次のフレームに変わり、フレームメモリ４９に次のフレームのデータが供給されると、フレームメモリ４９が更新され、次のフレームのデータがフレームメモリ４９に保持されることになる。
【００５５】
なお、フレームメモリ４９へのデータの書き込みや読み出しは、システム制御部４２の制御のもと、メモリ制御部５１により行われる。
【００５６】
ここで、ユーザから、現在ディスプレイモニタ３に表示されている画像を印刷する旨の指示が指示入力部５２に入力されると、メモリ制御部５１は、フレームメモリ４９の更新を停止し、フレームメモリ４９に保持されている動画データ、すなわち、現在ディスプレイモニタ３に表示されている動画像のデータを読み出す。
【００５７】
フレームメモリ４９から読み出された動画データは、マルチプレクス部４８及びマルチプレクス部５３にそれぞれ供給される。
【００５８】
マルチプレクス部５３に供給された動画データは、このマルチプレクス部５３において、ブラウザ画面メモリ４６に保持されているＸＭＬデータと合成され、印刷データとして、印刷データ出力部５４に供給される。
【００５９】
印刷データ出力部５４は、マルチプレクス部５３から供給された印刷データを、外部バス６を介してプリンタ４に供給する。そして、プリンタ４が、印刷データ出力部５４から供給された印刷データに基づいて印刷処理を行うことにより、ユーザより指定されたディスプレイモニタ３上の画像に文字情報等が混在した画面が印刷されることになる。
【００６０】
なお、フレームメモリ４９から読み出された動画データを、マルチプレクス部５３を介さずにそのまま表示用データとして印刷データ出力部５４に供給するようにすれば、ユーザより指定されたディスプレイモニタ３上の画像のみを印刷することもできる。
【００６１】
マルチプレクス部４８は、通常は、上述したように、ＭＰＥＧ２デコーダ４７からの動画データとブラウザ画面メモリ４６に保持されているＸＭＬデータとを合成して表示データを生成し、この表示データを表示データ出力部５０に供給するが、指示入力部５２にユーザからの印刷指示が入力され、フレームメモリ４９から読み出された動画データが供給されると、ＭＰＥＧ２デコーダ４７からの動画データとブラウザ画面メモリ４６からのＸＭＬデータとが合成されてなる表示データに、更にフレームメモリ４９から読み出された動画データを合成し、ディスプレイモニタ３の画面１０内に子画面１１を発生させ、この子画面１１内に印刷イメージを表示させるような表示データを生成して、表示データ出力部５０に供給する。
【００６２】
これにより、ディスプレイモニタ３の画面１０内に、例えばピクチャ・イン・ピクチャ形式の子画面１１が発生し、親画面には通常の動画像と文字情報等が混在した画面が表示されると共に、子画面１１内には印刷イメージが表示され、或いは、親画面に印刷イメージが表示され、子画面１１内に通常の動画像と文字情報等が混在した画面が表示されることになる。
【００６３】
なお、マルチプレクス部４８において、フレームメモリ４９から読み出された動画データにブラウザ画面メモリ４６からのＸＭＬデータを合成して印刷イメージを表示するためのデータを作成した場合には、ユーザより指定されたディスプレイモニタ３上の画像に文字情報等が混在した画面が印刷イメージとして表示されることになる。また、フレームメモリ４９から読み出された動画データをそのまま印刷イメージを表示するためのデータとして用いた場合には、ユーザより指定されたディスプレイモニタ３上の画像のみが印刷イメージとして表示されることになる。
【００６４】
なお、以上は、ディスプレイモニタ３が、ｉＬＩＮＫ等の外部バス５により、受信装置２の表示データ出力部２５，５０に接続された画像プリントシステム１について説明したが、ディスプレイモニタ３は、高速の内部バスにより、受信装置２の表示データ出力部２５，５０に接続されていてもよい。この場合には、ディスプレイモニタ３が受信装置２と一体化され、テレビジョン受像機として構成されることになり、表示データ出力部２５，５０からの表示データを高速でディスプレイモニタ３に転送することが可能となる。
【００６５】
また、以上は、プリンタ４が、ｉＬＩＮＫ等の外部バス６により、受信装置２の印刷データ出力部３０，５４に接続された画像プリントシステム１について説明したが、プリンタ４は、高速の内部バスにより、受信装置２の印刷データ出力部３０，５４に接続されていてもよい。この場合には、プリンタ４が受信装置２と一体化され、印刷データ出力部３０，５４からの印刷データを高速でプリンタ４に転送することが可能となる。
【００６６】
また、ディスプレイモニタ３とプリンタ４の双方が共に高速の内部バスにより受信装置２に接続される場合には、画像プリントシステム１は、図４に示すように、プリンタ一体型のテレビジョン受像機６０として構成されることになる。画像プリントシステム１は、以上のように、プリンタ一体型のテレビジョン受像機６０として構成されることにより、受信装置２とディスプレイモニタ３及びプリンタ４間のデータ転送速度の高速化を図ることが可能であると共に、操作性の向上及び省スペース化を図ることができる。
【００６７】
【発明の効果】
以上説明したように、本発明に係る受信装置によれば、画像表示装置に表示されている画像を印刷する旨の指示が印刷指示入力部に入力されたときに、第１のマルチプレクス部は、上記フレームメモリから供給された動画データと上記ブラウザ画面メモリから供給された文字情報とを合成した表示データに、更に、フレームメモリから読み出された動画データを合成し、表示データ出力部より画像表示装置に出力し、これにより、画像表示装置の画面の一部に印刷イメージが表示されることになるので、ディジタルテレビジョン放送の画像データを途切れることなく画像表示装置に表示させると共に、ユーザに、印刷する画像の確認を行わせることができる。
【００６８】
また、本発明に係る画像データ処理方法は、第１のマルチプレクス部が、上記フレームメモリから供給された動画データと上記ブラウザ画面メモリから供給された文字情報とを合成した表示データに、更に、フレームメモリから読み出された動画データを合成し、表示データ出力部より画像表示装置に出力し、画像表示装置の画面の一部に印刷イメージを表示させるようにしているので、画像表示装置に表示されている画面を印刷装置により印刷するときに、ディジタルテレビジョン放送の画像データを途切れることなく画像表示装置に表示させると共に、ユーザに、印刷する画像の確認を行わせることができる。
【図面の簡単な説明】
【図１】本発明を適用した画像プリントシステムの一構成例を示す模式図である。
【図２】受信装置がアナログテレビジョン放送を受信するように構成された画像プリントシステムの一例を示すブロック図である。
【図３】受信装置がディジタルテレビジョン放送を受信するように構成された画像プリントシステムの一例を示すブロック図である。
【図４】ディスプレイモニタとプリンタとが受信装置と一体化されてなるプリンタ一体型のテレビジョン受像機を示す模式図である。
【符号の説明】
１  画像プリントシステム、２  受信装置、３  ディスプレイモニタ、４  プリンタ、５，６  外部バス、２２，４１  チューナ部、２３，４２  システム制御部、２５，５０  表示データ出力部、２７，４９  フレームメモリ、２９，５２  指示入力部、３０，５４  印刷データ出力部、３２  画像データ合成部、４８  マルチプレクス部
【図１】
0004182599.tif 000002
【図２】
0004182599.tif 000003
【図３】
0004182599.tif 000004
【図４】
0004182599.tif 000005